(57)【要約】【課題】弾性筒体を大径にすることなく、スピーカが発生する振動が弾性筒体から軸部を経てキャビネットに伝達されるのを低減することができる振動吸収構造、及び表示装置を提供する。【解決手段】スピーカの被取付部に開設される貫通孔３３を、弾性筒体５と周面同士が接触する接触部３３ａ，３３ａ及び該接触部３３ａ，３３ａに連なり、その中心軸に向けた凸部３３ｂを有する構成とし、凸部３３ｂと接触し軸長方向の相対移動を規制する規制凹所５ｃを弾性筒体５に設けて、貫通孔３３の接触部３３ａ，３３ａ及び弾性筒体５の内周面間の吸収部厚さＨ１を比較的厚くすることにより、スピーカが発生する振動が弾性筒体５から軸部２３を経てスピーカ支持部２１ｃに伝達されるのを低減でき、スピーカ支持部２１ｃに連なるキャビネットの微振動を低減できるようにした。【選択図】図４
2010011193.tif 000002
【特許請求の範囲】
【請求項１】
軸部を有する支持体に支持される被支持物が、貫通孔を開設してある被取付部を有し、前記貫通孔に嵌入され、内側に前記軸部が嵌入される弾性筒体を備え、前記弾性筒体の周りで前記被支持物が発生する振動を吸収する振動吸収構造において、前記貫通孔は、前記弾性筒体と周面同士が接触する接触部及び該接触部に連なり、その中心軸に向けた凸部を有し、前記弾性筒体は、前記凸部と接触し軸長方向の相対移動を規制する規制凹所を有することを特徴とする振動吸収構造。
【請求項２】
前記凸部を前記貫通孔の軸長方向の中間部に配してあり、前記凸部の両側に前記接触部を配してある請求項１記載の振動吸収構造。
【請求項３】
前記凸部は前記貫通孔の周方向に配してあり、前記規制凹所は前記凸部よりも小径の環状である請求項１又は２記載の振動吸収構造。
【請求項４】
前記弾性筒体は、前記軸部の軸長方向へ離隔して配される第１分体及び第２分体を有し、該第１分体及び第２分体間が前記規制凹所である請求項１記載の振動吸収構造。
【請求項５】
前側に表示面を有する表示部と、該表示部の周縁部及び後側を被覆し、前記支持体を構成するスピーカ支持部を有するキャビネットと、該キャビネット内で前記スピーカ支持部に支持され、前記被支持物を構成するスピーカと、該スピーカの振動を吸収する請求項１から４のいずれか一つに記載の振動吸収構造とを備えることを特徴とする表示装置。
【発明の詳細な説明】
【技術分野】
【０００１】
本発明は機器が発生する振動を吸収する振動吸収構造、及びスピーカが発生した振動を振動吸収構造により吸収することができる表示装置に関する。
【背景技術】
【０００２】
スピーカ等の機器が発生する振動を吸収する振動吸収構造として、前側に表示面を有する表示装置本体の後側を被覆するキャビネットの内側に複数の軸部を設け、該軸部に対応する貫通孔が開設されている被取付部をスピーカの外周部に設け、前記被取付部が密接状に嵌入される環状溝を外周部に有し、前記軸部に周面同士が接触するように嵌入されるゴム製の弾性筒体を設け、スピーカが発生した振動を弾性筒体が吸収するように構成されている（例えば、特許文献１参照）。
【特許文献１】特開２００４−１８７２７１号公報
【発明の開示】
【発明が解決しようとする課題】
【０００３】
図７は特許文献１に記載されている振動吸収構造の説明図である。この振動吸収構造は、弾性筒体１００の外周面に設けられている環状溝１０１にスピーカの被取付部１０２が密接状に嵌入されることにより、被取付部１０２が軸長方向へ移動するのを規制し、スピーカが発生した振動を弾性筒体１００が吸収するように構成されているため、スピーカが発生した振動が弾性筒体１００に伝達される際、被取付部１０２に開設されている貫通孔１０３の周面から弾性筒体１００における環状溝１０１及び弾性筒体１００の内周面１０４間の肉厚部Ｈに伝達され、該肉厚部Ｈから軸部１０５に伝達されることになり、弾性筒体１００に伝達された振動が、該弾性筒体１００から軸部１０５に伝達され易い構造になっている。因って、スピーカの低音域では、弾性筒体１００に伝達された振動が軸部１０５からキャビネット１０６に伝達され、該キャビネット１０６が微振動し、該キャビネット１０６の微振動による異音（ビビリ音）が発生することになり、改善策が要望されていた。図８は周波数変化によるキャビネット前面の振動値を実測したグラフである。図７に示す振動吸収構造にあっては、低音域での最大振動値が約３．６０mm／s である。
【０００４】
本発明は斯かる事情に鑑みてなされたものであり、主たる目的は被取付部に開設される貫通孔を、弾性筒体と周面同士が接触する接触部及び該接触部に連なり、その中心軸に向けた凸部を有する構成とし、前記凸部と接触し軸長方向の相対移動を規制する規制凹所を弾性筒体に設けることにより、弾性筒体を大径にすることなく、貫通孔の接触部及び弾性筒体の内周面間の肉厚部を比較的厚くすることができ、被支持物が発生する振動が弾性筒体から軸部を経て支持体に伝達されるのを低減することができる振動吸収構造、及び表示装置を提供することにある。
【課題を解決するための手段】
【０００５】
本発明に係る振動吸収構造は、軸部を有する支持体に支持される被支持物が、貫通孔を開設してある被取付部を有し、前記貫通孔に嵌入され、内側に前記軸部が嵌入される弾性筒体を備え、前記弾性筒体の周りで前記被支持物が発生する振動を吸収する振動吸収構造において、前記貫通孔は、前記弾性筒体と周面同士が接触する接触部及び該接触部に連なり、その中心軸に向けた凸部を有し、前記弾性筒体は、前記凸部と接触し軸長方向の相対移動を規制する規制凹所を有することを特徴とする。
【０００６】
この発明にあっては、弾性筒体を大径にすることなく、貫通孔の接触部及び弾性筒体の内周面間の振動吸収部厚さを比較的厚くすることができ、弾性筒体に伝達された振動を吸収し易いため、被支持物が発生する振動が弾性筒体から軸部を経て支持体に伝達されるのを低減でき、支持体の微振動を低減できる。
【０００７】
また、本発明に係る振動吸収構造は、前記凸部を前記貫通孔の軸長方向の中間部に配してあり、前記凸部の両側に前記接触部を配してある構成とするのが好ましい。
この発明にあっては、被支持物が発生する振動を貫通孔の両縁側から弾性筒体へ伝達することができ、弾性筒体の全体で吸収し得るから、弾性筒体に伝達された振動をより一層吸収し易く、支持体の微振動をより一層低減できる。
【０００８】
また、本発明に係る振動吸収構造は、前記凸部は前記貫通孔の周方向に配してあり、前記規制凹所は前記凸部よりも小径の環状である構成とするのが好ましい。
この発明にあっては、被支持物が発生する振動を貫通孔の凸部から弾性筒体へ伝達し難くし、接触部から弾性筒体へ伝達させるため、弾性筒体に伝達された振動をより一層吸収し易く、支持体の微振動をより一層低減できる。また、弾性筒体を貫通孔に挿入し易くすることができ、組込作業性を向上させて、弾性筒体を貫通孔に保持することができる。
【０００９】
また、本発明に係る振動吸収構造は、前記弾性筒体は、前記軸部の軸長方向へ離隔して配される第１分体及び第２分体を有し、該第１分体及び第２分体間が前記規制凹所である構成とするのが好ましい。
この発明にあっては、弾性筒体の規制凹所が内周面に亘って配されているため、弾性筒体を小形にでき、弾性筒体のコスト、ひいては振動吸収構造のコストを低減できる。
【００１０】
また、本発明に係る表示装置は、前側に表示面を有する表示部と、該表示部の周縁部及び後側を被覆し、前記支持体を構成するスピーカ支持部を有するキャビネットと、該キャビネット内で前記スピーカ支持部に支持され、前記被支持物を構成するスピーカと、該スピーカの振動を吸収する前述した発明の振動吸収構造とを備えることを特徴とする。
【００１１】
この発明にあっては、弾性筒体を大径にすることなく、貫通孔の接触部及び弾性筒体の内周面間の振動吸収部厚さを比較的厚くすることができ、弾性筒体に伝達された振動を吸収し易いため、スピーカが発生する振動が弾性筒体から軸部を経てキャビネットに伝達されるのを低減でき、キャビネットの微振動を低減できる。
【発明の効果】
【００１２】
本発明によれば弾性筒体を大径にすることなく、貫通孔の接触部及び弾性筒体の内周面間の吸収部厚さを比較的厚くすることができ、被支持物が発生する振動が弾性筒体から軸部を経て支持体に伝達されるのを低減でき、支持体の微振動を低減できる。
【発明を実施するための最良の形態】
【００１３】
以下本発明をその実施の形態を示す図面に基づいて詳述する。
実施の形態１
図１は本発明に係る表示装置の構成を示す斜視図、図２は表示装置の構成を示す一部を省略した縦断側面図、図３はスピーカの構成を示す斜視図である。
【００１４】
図示した表示装置はテレビ画像を表示する表示面１ａを前側に有し、略直方体をなす表示部１と、該表示部１の周縁部及び後側を被覆するキャビネット２と、該キャビネット２内における表示部１の下側で、横方向両側に配された二つのスピーカ３と、該スピーカ３をキャビネット２に支持する振動吸収構造Ａと、表示部１を起立状態で支持するスタンド４とを備える薄型の液晶テレビジョンである。尚、表示部１及びキャビネット２が、被支持体としてのスピーカ３を支持する支持体を構成している。
【００１５】
表示部１は前側に表示面１ａを有する液晶の表示パネル１１と、該表示パネル１１の後側に配された光学シート１２、光源１３及び電源基板等のテレビ基板とを備える。又、光源１３は複数本のランプ及び該ランプを収容して支持するケースを有する。
【００１６】
キャビネット２は表示パネル１１の外周り及びスピーカ３の前側を被覆するキャビネット前分体２１と、光源１３の後側及びスピーカ３を被覆するキャビネット後分体２２とを有する合成樹脂製であり、キャビネット前分体２１及びキャビネット後分体２２の周縁部が光源１３のケースに複数本の雄螺子により取付けられている。
【００１７】
キャビネット前分体２１は、環板部２１ａ及び該環板部２１ａの周縁から後方へ延出された角筒部２１ｂを有し、環板部２１ａの下部にはスピーカ３を支持するためのスピーカ支持部２１ｃが設けられている。
【００１８】
スピーカ支持部２１ｃには、後方へ延出された円筒状の複数の軸部２３がスピーカ３の外周部に対応して一体に設けられている。また、スピーカ支持部２１ｃには、音声を外部へ出力する複数の放音孔が開設されている。
【００１９】
軸部２３の基部には周方向に離隔して複数のリブ２３ａが突設され、該リブ２３ａの端面が受止部２３ｂになっている。
【００２０】
キャビネット後分体２２は深皿形をなしている。
【００２１】
スピーカ３は、低音用の音源、及び中・高音用の音源と、夫々の音源を横に並べて保持し、一方の音源が発生した低音の音声、及び他方の音源が発生した中・高音の音声を前方へ放出する音声出力部を有する保持ケース３１とを備え、該保持ケース３１の周縁部が振動吸収構造Ａによりキャビネット前分体２１の軸部２３に支持されている。保持ケース３１の周縁部には複数の被取付部３２が一体に設けられている。被取付部３２は板状をなし、該被取付部３２に、軸部２３よりも大径の貫通孔３３が開設されている。
【００２２】
図４は振動吸収構造Ａの構成を示す拡大断面図である。振動吸収構造Ａは、キャビネット前分体２１の軸部２３と、該軸部２３が嵌入される孔５ａを有するゴム製の弾性筒体５と、該弾性筒体５が嵌入される貫通孔３３と、弾性筒体５を軸部２３に固定する雄螺子６とを備える。
【００２３】
弾性筒体５は軸部２３とほぼ等径の孔５ａを有する円筒形をなし、外周面の両縁側に被接触部５ｂ，５ｂが設けられ、被接触部５ｂ，５ｂ間に環状の規制凹所５ｃが設けられている。規制凹所５ｃは被接触部５ｂ，５ｂよりも小径に形成され、軸長方向の中央部に配されている。
【００２４】
貫通孔３３は、弾性筒体５の被接触部５ｂ，５ｂに接触する接触部３３ａ，３３ａ、及び該接触部３３ａ，３３ａの間で接触部３３ａ，３３ａに連なり、中心軸に向けた環状の凸部３３ｂを有する。凸部３３ｂの内周面は規制凹所５ｃの周面よりも大径に形成され、凸部３３ｂ及び規制凹所５ｃの周面間が非接触空間になっている。
【００２５】
被取付部３２の貫通孔３３周りは、被取付部３２の厚さよりも厚肉に形成され、貫通孔３３の軸長方向の長さが、弾性筒体５の長さよりも若干短い長さに形成されている。また、被取付部３２には貫通孔３３の一側を外部に開放するためのスリット３３ｃが設けられ、弾性筒体５の規制凹所５ｃをスリット３３ｃから貫通孔３３へ嵌入することができるように構成されている。
【００２６】
以上のように構成された表示装置は、スピーカ３における被取付部３２の貫通孔３３に弾性筒体５が嵌入され、弾性筒体５が貫通孔３３に予め保持される。この際、貫通孔３３の接触部３３ａ，３３ａが弾性筒体５の被接触部５ｂ，５ｂと接触し、凸部３３ｂが規制凹所５ｃと対向し、凸部３３ｂ及び規制凹所５ｃ間は非接触空間となる。そして、表示部１にキャビネット前分体２１が取付けられた後、キャビネット前分体２１のスピーカ支持部２１ｃに突設されている軸部２３に弾性筒体５を嵌入し、スピーカ３を軸部２３に支持した後、座金７に設けた中央孔を介して、タッピングネジからなる雄螺子６を軸部２３の孔に捩じ込むことにより、スピーカ３を弾性的に取付けることができる。
【００２７】
図５は周波数変化によるキャビネット前面の振動値を実測したグラフである。このようにスピーカ３を取付ける振動吸収構造Ａは、貫通孔３３の両縁側に接触部３３ａ，３３ａがあり、該接触部３３ａ，３３ａが弾性筒体５の外周面に接触し、貫通孔３３の凸部３３ｂ及び規制凹所５ｃ間は非接触空間になっているため、スピーカ３が発生した振動は、図４に矢印で示すように貫通孔３３の接触部３３ａ，３３ａから被接触部５ｂ，５ｂを経て弾性筒体５の内周面から軸部２３に伝達される。この際、接触部３３ａ，３３ａ及び弾性筒体５の内周面間の振動吸収部厚さＨ１が比較的厚くなっており、弾性筒体５に伝達された振動を吸収し易いようになっているため、低音域で弾性筒体５から軸部２３に伝達される振動を低減でき、キャビネット前分体２１を含むキャビネット２の微振動を低減できる。因に、図７に示す従来の振動吸収構造にあっては、図８に示すように低音域での最大振動値が約３．６０mm／s であるのに対し、本発明に係る振動吸収構造Ａにあっては、図５に示すように低音域での最大振動値が約２．５７mm／s であり、低音域での最大振動値を約３割低減できる。また、貫通孔３３の凸部３３ｂが規制凹所５ｃと接触し、凸部３３ｂが軸長方向へ移動するのを規制してあるため、弾性筒体５によりスピーカ３を安定性よく支持することができる。
【００２８】
実施の形態２
図６は振動吸収構造Ａの他の構成を示す縦断面図である。この振動吸収構造Ａは、弾性筒体５を、軸部２３の軸長方向へ離隔して配される第１分体５１及び第２分体５２に分けてあり、第１分体５１及び第２分体５２間を、凸部３３ｂに接触する規制凹所５ｃとしたものである。
【００２９】
第１分体５１及び第２分体５２は軸部２３とほぼ等径の孔５ａを有する円板形をなし、第１分体５１及び第２分体５２の外周面が被接触部５ｂ，５ｂになっており、また、第１分体５１及び第２分体５２の対向する側面間が規制凹所５ｃになっている。
【００３０】
貫通孔３３の凸部３３ｂは、第１分体５１及び第２分体５２の対向する側面と接触し、軸長方向への移動が規制されている。
【００３１】
以上のように構成された表示装置は、表示部１にキャビネット前分体２１が取付けられた後、キャビネット前分体２１のスピーカ支持部２１ｃに突設されている軸部２３に第１分体５１を嵌入支持し、スピーカ３における被取付部３２の貫通孔３３に軸部２３を嵌入した後、第２分体５２を軸部２３に嵌入し、スピーカ３を軸部２３に支持した状態で、座金７に設けた中央孔を介してタッピングネジからなる雄螺子６を軸部２３の孔に捩じ込むことにより、スピーカ３を弾性的に取付けることができる。
【００３２】
このようにスピーカ３を取付ける振動吸収構造Ａは、吸収体５が第１分体５１及び第２分体５２に分けられ、貫通孔３３の接触部３３ａ，３３ａが第１分体５１及び第２分体５２の外周面（被接触部５ｂ，５ｂ）に接触しており、第１分体５１及び第２分体５２の間が規制凹所５ｃになっているため、スピーカ３が発生した振動は、図６に矢印で示すように貫通孔３３の接触部３３ａ，３３ａから第１分体５１及び第２分体５２の外周部（被接触部５ｂ，５ｂ）を経て、第１分体５１及び第２分体５２の内周面から軸部２３に伝達され、第１分体５１及び第２分体５２間の規制凹所５ｃから軸部２３への振動伝達はない。この際、接触部３３ａ，３３ａ及び弾性筒体５の内周面間の振動吸収部厚さＨ１が比較的厚くなっており、弾性筒体５に伝達された振動を吸収し易いようになっているため、弾性筒体５から軸部２３に伝達される振動を低減でき、キャビネット前分体２１を含むキャビネット２の微振動を低減できる。
【００３３】
尚、以上説明した実施の形態では、被支持物としてのスピーカ３が発生する振動を吸収する振動吸収構造Ａについて説明したが、その他、本発明に係る振動吸収構造Ａは、例えば表示部１におけるケースの後面に装着される冷却用ファンが発生する振動を吸収することも可能であり、被支持物の対象は特に制限されない。
【００３４】
また、以上説明した実施の形態では、凸部を環状とし、規制凹所を環状としたが、その他、凸部及び規制凹所は円弧状の構成としてもよいし、また、複数の周方向位置に配される構成としてもよい。
【００３５】
また、本発明に係る振動吸収構造Ａは表示装置に使用される他、表示装置以外の装置に使用されてもよい。
【００３６】
また、本発明に係る表示装置は液晶テレビジョン等の液晶表示装置である他、プラズマ表示装置、ＥＬディスプレイ等の表示装置であってもよい。
【図面の簡単な説明】
【００３７】
【図１】本発明に係る表示装置の構成を示す斜視図である。
【図２】本発明に係る表示装置の構成を示す一部を省略した縦断側面図である。
【図３】本発明に係る表示装置のスピーカの構成を示す斜視図である。
【図４】本発明に係る振動吸収構造の構成を示す拡大断面図である。
【図５】周波数変化によるキャビネット前面の振動値を実測したグラフである。
【図６】本発明に係る振動吸収構造の他の構成を示す縦断面図である。
【図７】特許文献１に記載されている振動吸収構造の構成を示す説明図である。
【図８】周波数変化によるキャビネット前面の振動値を実測したグラフである。
【符号の説明】
【００３８】
Ａ    振動吸収構造
１    表示部
２    キャビネット（支持体）
２１ｃ  スピーカ支持部
２３  軸部
３    スピーカ
３２  被取付部
３３  貫通孔
３３ｂ  凸部
５    弾性筒体
５ｂ  接触部
５ｃ  規制凹所
５１  第１分体
５２  第２分体
【図１】
2010011193.tif 000003
【図２】
2010011193.tif 000004
【図３】
2010011193.tif 000005
【図４】
2010011193.tif 000006
【図５】
2010011193.tif 000007
【図６】
2010011193.tif 000008
【図７】
2010011193.tif 000009
【図８】
2010011193.tif 000010